(57)【特許請求の範囲】
【請求項１】
壁表面材が装着される壁下地材において、該壁下地材における本体部は石膏ボードから成り、該本体部の少なくとも四辺縁部に、面ファスナーの他方側が接着されるための部位であって前記他方側を剥がしても剥落しない接着用面部をなす枠部材が装着されていることを特徴とする壁下地材。
【請求項２】
請求項１に記載の壁下地材において、前記接着用面部を成す前記枠部材と前記本体部とが面一若しくは前記本体部のほうが凸を成すことを特徴とする壁下地材。
【請求項３】
請求項１または２に記載の壁下地材に、裏面の一部又は全部に面ファスナーの一方側が形成されている壁表面材を装着して成ることを特徴とする建屋室内壁構造。
【発明の詳細な説明】
【０００１】
【産業上の利用分野】
この発明は、石膏ボードから成る壁下地材、及び建屋室内壁構造に関する。
【０００２】
【従来の技術】
建物における室内壁は、一般に、石膏ボード上に壁紙（クロス）を貼り付けることで仕上げを行っている。具体的には、まず石膏ボードのビス穴や継ぎ目部の凹凸をパテ処理によって平滑にして養生を行う（乾燥させる）。壁紙は３尺や１ｍ程度の幅のロールものを使用し、裏面に糊付けを行い、前記養生を行った石膏ボードに貼り付けていく作業を行うことになる。
【０００３】
【発明が解決しようとする課題】
しかしながら、壁紙は糊付けによって完全接着されるため、リフォームなどで壁紙を剥がすときに、糊（接着剤）による接着力が強すぎると、石膏ボードの表面が剥がれてしまい、当該石膏ボードや壁紙が廃材になる。また、糊が人体に有害であることもある。
【０００４】
この発明は、上記の事情に鑑み、糊（接着剤）を用いずに室内壁の仕上げを可能にすることができる壁表面材及び壁下地材及び建屋室内壁構造を提供することを目的とする。
【０００５】
【課題を解決するための手段】
壁表面材は、裏面の一部又は全部に面ファスナーの一方側が形成されている。そして、この発明の壁下地材は、壁表面材が装着される壁下地材において、該壁下地材における本体部は石膏ボードから成り、該本体部の少なくとも四辺縁部に、面ファスナーの他方側が接着されるための部位であって前記他方側を剥がしても剥落しない接着用面部をなす枠部材が装着されていることを特徴とする。
【０００６】
かかる構成であれば、壁下地材の接着部に面ファスナーの他方側を接着し、この他方側に対して壁表面材を押し当てることで当該壁表面材の裏面に存在する面ファスナーの一方側と前記他方側とが絡み合い、装着状態が形成されて壁の仕上げがなされることになる。一方、リフォーム等において、壁表面材は面ファスナーによる装着であるから、壁表面材を無理なく剥がすことができ、また、他方側を接着用面部から剥がしても当該接着用面部において剥落は生じないから、壁下地材が廃材になってしまうこともない。また、壁表面材については、剥がした後にクリーニングを行なって再び装着するといったことも可能である。また、壁表面材を壁下地材に装着することにおいて接着剤を不要にできるから、揮発性有機化合物（ＶＯＣ）の問題も解消し得る。
【０００８】
前記接着用面部と本体部とが面一若しくは前記本体部のほうが凸を成すようになっていてもよい。これによれば、壁表面材と前記本体部との間に生じる隙間をなくしたり少なくしたりすることができる。
【０００９】
また、この発明の建屋室内壁構造は、前述したいずれかの壁下地材に、前述の壁表面材を装着して成ることを特徴とする。
【００１０】
【発明の実施の形態】
以下、この発明の実施形態の壁表面材及び壁下地材及び建屋室内壁構造を図１及び図２に基づいて説明する。
【００１１】
図１に示すように、この実施形態の建屋室内壁構造においては、間柱（鋼製スタッド）２・２に壁下地材１が取り付けられており、この壁下地材１に壁紙（クロス）３を貼り付けることで、壁の仕上げが行われるようになっている。
【００１２】
壁紙３は、その表面については壁紙としての模様などが施され、裏面の全面には、面ファスナーにおける雌側５Ａが形成されており、ロールものから切り出されたものである。面ファスナーにおける雌側５Ａは薄型のものが使用されており、壁紙３の裏面へは例えば接着剤などによって貼付されている。
【００１３】
壁下地材１は、図２（ａ）に示しているように、石膏ボードから成る本体部１ａと、この本体部１ａに装着された断面コ字形状の金属製の枠部材１ｂとから成る。この枠部材１ｂは、本体部１ａの四辺縁において、面ファスナーの雄側シート５Ｂが接着されるための接着用面部を成す。雄側シート５Ｂは、その表面が雄側構成体を成し、裏面に粘着面を有するものである。また、雄側シート５Ｂとしては薄型のものが使用されている。
【００１４】
壁紙３を剥がすときには、当然のことであるが、壁紙３の裏面に形成されている雌側５Ａが雄側シート５Ｂから離脱することになるのが理想である。従って、雄側シート５Ｂにおける裏面粘着力は、雌側５Ａと雄側シート５Ｂとの結合力よりも強いのが望ましい。ここで、雄側シート５Ｂの裏面粘着力を強くした場合において、この雄側シート５Ｂを本体部１ａである石膏ボードに直に接着すると、壁紙３を剥がすときに雄側シート５Ｂが一緒に剥がれて石膏ボード表面が剥落してしまうおそれがあるが、前記枠部材１ｂを接着用面部とすることにより、このような剥落を回避できる。
【００１５】
図２（ｂ）は建屋室内壁構造の変形例を示している。この構造で用いられている壁下地材１′においては、接着用面部を成す枠部材１ｂの表面と本体部１ａ′の表面とが面一となるようにしている。先述の図２（ａ）に示した構造では、壁紙３の裏面と本体部１ａとの間に、枠部材１ｂ及び雄側シート５Ｂの厚みに対応した隙間が生じてしまうが、図２（ｂ）に示す構造であれば、前記隙間を狭くすることができる。上記のごとく面一とする他、前記本体部１ａ′のほうを枠部材１ｂの表面に対して凸を成すようにしてもよい。この凸の程度は雄側シート５Ｂの厚み程度とする。これによれば、壁紙３の裏面と本体部１ａ′との間の隙間を殆ど無くすことができる。
【００１６】
以上説明したように、上記構成であれば、壁下地材１の接着用面部（枠部材１ｂの表面）に面ファスナーの雄側シート５Ｂを接着し、この雄側シート５Ｂに対して壁紙３を押し当てることで当該壁紙３の裏面に存在する面ファスナーの雌側５Ａと前記雄側シート５Ｂとが結合し、装着状態が形成されて壁の仕上げがなされることになる。一方、リフォーム等において、壁紙３は面ファスナーによる装着であるから、壁紙３を無理なく剥がすことが可能であり、また、雄側シート５Ｂが接着用面部から剥がれても当該接着用面部において剥落は生じないから、壁下地材１が廃材になってしまうこともない。また、壁紙３については、剥がした後にクリーニングを行なって再び装着するといったことも可能である。また、壁紙３を壁下地材１に装着することにおいて接着剤を不要にできるから、揮発性有機化合物（ＶＯＣ）の問題も解消し得る。
【００１７】
なお、上記実施例では、枠部材の表面を接着用面部としたが、壁下地材に剥離容易な面部を形成してこれを雄側シート５Ｂのための接着用面部とすることが考えられる。すなわち、壁下地材と雄側シート５Ｂとの接着力が強いと、当該雄側シート５Ｂを剥がしたときに壁下地材において剥落が生じるのであるから、雄側シート５Ｂを剥がし易くすることで、壁下地材における剥落を防止することができる。勿論、この場合において、壁紙３を保持するだけの粘着力が得られるようにしておくことは言うまでもない。この場合、リフォームにおいて壁紙３を剥がすときには、雄側シート５Ｂが一緒に剥がれてくることになるが、この雄側シート５Ｂを壁紙３から剥がして再び壁下地材に接着すればよい。また、雄側シート５Ｂの再度の接着が難しくなるのであれば、雄側シート５Ｂとして新しいものを使用すればよい。壁紙３自体が接着のための粘着面を有するのではないから、壁紙３をクリーニングする場合でも何ら問題は生じない。
【００１８】
また、枠部材として金属製の枠部材１ｂを用いたが、金属製に限るものではない。また、面ファスナーの雄側と雌側の関係を逆にしてもよい。
【００１９】
また、壁表面材として壁紙３を示したが、これに限るものではなく、パネル体としてもよい。例えば、木質系（例えば、木板やコルク状体）の板や陶性或いは金属製或いはこれらの複合体の板等を用いてパネル体としてもよい。このパネル体とする場合において、その大きさは壁下地材１の大きさと略同じとしてもよいし、これよりも小さくして多数装着する形態としてもよい。多数装着する場合には、その大きさに対応させて接着用面部（枠部材の表面、剥離容易面部、これらの組み合わせ等）を格子状に形成しておくことが考えられる。壁表面材がロール状の壁紙３である場合には、その裏面の全面に面ファスナーの一方側が形成されるのが望ましいが、定形の壁紙である場合や上記パネル体とするときには、例えば縁部のみ等、一部に形成するものでもよい。また、壁紙は目地を跨ぐように横貼りしてもよい。また、居室や廊下の側面壁だけでなく、天井壁についてもこの発明の壁表面材及び壁下地材及び建屋室内壁構造を適用することができる。
【００２０】
【発明の効果】
以上説明したように、この発明によれば、壁表面材は面ファスナーによる装着であるから、リフォーム等において、壁表面材を無理なく剥がすことが可能であり、また、面ファスナーを接着用面部から剥がしても当該接着用面部において剥落は生じないから、壁下地材が廃材になってしまうこともない。また、壁表面材については、剥がした後にクリーニングを行なって再び装着するといったことも可能である。また、壁表面材を壁下地材に装着することにおいて接着剤を不要にできるから、揮発性有機化合物の問題も解消し得る。
【図面の簡単な説明】
【図１】この発明の実施形態における壁表面材及び壁下地材から成る建屋室内壁構造の外観を示した斜視図である。
【図２】同図（ａ）は図１のＡ−Ａ矢視断面図であり、同図（ｂ）は変形例を示した断面図である。
【符号の説明】
１      壁下地材
１′    壁下地材
１ａ    本体部
１ａ′  本体部
１ｂ    枠部材（接着用面部）
２      間柱
３      壁紙
【図１】
0003950338.tif 000002
【図２】
0003950338.tif 000003